(57)【特許請求の範囲】
【請求項１】
解剖学的特徴の少なくとも二つの時系列画像データにアクセスするステップ（１００２）であって、前記縦断的解剖学的画像データは、撮像の時刻での前記解剖学的特徴におけるトレーサに関する機能的情報の指示と一致している、アクセスするステップ（１００２）と、
同じトレーサに基づき、前記時系列解剖学的画像データを、規範的な標準化された解剖学的画像データと比較して、人間の規準及び前記同じトレーサに基づいて、前記時系列解剖学的画像データの各々及び規範標準化解剖学的画像データから重症度偏差データを決定するステップ（１００４）と、
前記解剖学的特徴について前記重症度偏差データを提示するステップ（１００６）と、
前記解剖学的特徴の各々について或る重症度にカテゴリー分けされている期待画像偏差を提示するステップ（１００８）と、
各々の時系列データ集合について重症度インデクスの選択の指示を受け取るステップ（１０１０）と、
前記複数の重症度インデクスから結合重症度変化スコアを生成するステップ（１０１２）と、
を実行するように構成されたコンピュータ。
【請求項２】
前記結合重症度変化インデクスを提示するステップ（１０１４）を実行するように構成された請求項１に記載のコンピュータ。
【請求項３】
前記重症度インデクスの選択の指示を受け取る前記ステップ（１０１０）が、人によってグラフィカル・ユーザ・インターフェースに手動で入力された重症度インデクスを受けるステップを含む、請求項１又は２に記載のコンピュータ。
【請求項４】
前記結合重症度変化スコアを生成する前記ステップ（１０１２）が、規則に基づいたプロセスを参照して複数の重症度インデックスを合計するステップを含む、請求項１乃至３のいずれかに記載のコンピュータ。
【請求項５】
前記結合重症度変化スコアを提示するステップ（１０１４）
を実行するように構成された請求項４に記載のコンピュータ。
【請求項６】
前記受け取る（１０１０）動作の前に、
解剖学的特徴の前記時間的画像データにアクセスするステップ（１００２）と、
人間の年齢及び性別に基づいて、前記解剖学的時間的画像データ及び規範標準化解剖学的画像データから重症度偏差データを決定するステップ（１００４）と、
前記解剖学的特徴の各々について前記重症度偏差データを提示するステップ（１００６）と、
前記解剖学的特徴の各々について或る重症度にカテゴリー分けされている期待画像偏差を提示するステップ（１００８）と、
を実行するように構成された請求項４に記載のコンピュータ。
【請求項７】
前記偏差データを決定するステップ（１００４）は、
前記解剖学的時間的画像データを、撮像の時刻での前記解剖学的特徴における前記トレーサに関して規範標準化解剖学的画像データと比較するステップ（１２０２）
をさらに含んでいる、請求項６に記載のコンピュータ。
【請求項８】
前記画像データが磁気共鳴撮像、陽電子放出断層写真法、計算機式断層写真法、単光子放出計算機式断層写真法、超音波撮像及び光学的撮像のいずれかにより取得される、請求項１乃至７のいずれかに記載のコンピュータ。
【発明の詳細な説明】
【技術分野】
【０００１】
本発明は一般的には、医療診断に関し、さらに具体的には、患者の画像からの医学的状態の診断に関する。
【背景技術】
【０００２】
医学的状態又は疾患の一形態に神経変性障害（ＮＤＤ）がある。ＮＤＤは早期段階で検出することが困難であり、また様々な患者群にわたる比較のために標準化された態様で定量化することも困難である。研究者は、正常患者群からの統計的偏差を決定する方法を開発している。
【０００３】
これら初期の方法は、２種の形式の標準化すなわち解剖学的標準化及び強度標準化を用いて患者画像を変換することを含んでいる。解剖学的標準化は、患者の座標系から標準化された参照座標系へ画像を変換する。強度標準化は、参照画像に対して等価な強度を有するように患者の画像を調節することを含んでいる。得られた変換画像は、参照データベースと比較される。データベースは、年齢及びトレーサに特異的な参照データを含んでいる。得られる解析の殆どは、点毎又は部位毎の統計的偏差の形態を取っており、典型的にはＺスコアとして図示される。幾つかの実施形態では、トレーサは核医学撮像に用いられる放射性トレーサである。
【０００４】
ＮＤＤの検出の重要な要素は、年齢及びトレーサ別の正常データベースの開発である。これらの正常体に対する比較は、標準化された領域、例えばTalairach領域又はモントリオール神経科学病院方式（ＭＮＩ）領域においてのみ行なわれ得る。ＭＮＩは、正常な対照体に対する磁気共鳴撮像（ＭＲＩ）走査の大規模な系列を用いることにより標準脳を定義している。Talairach領域は、解剖されてTalairach及びTournoux図譜（アトラス）として写真撮影された脳を参照する。Talairach領域及びＭＮＩ領域のいずれにおいても、位置合わせ手法を用いてデータをこの標準的な領域に対して写像しなければならない。上述の方法の変形を用いた現行の方法としては、トレーサNeuroQ（商標）、統計的パラメータ・マッチング（ＳＰＭ）、３Ｄ定位表面投影（３Ｄ−ＳＳＰ）等がある。
【発明の開示】
【発明が解決しようとする課題】
【０００５】
一旦、比較が行なわれたら、解剖学的構造の統計的偏差を表わす画像を表示し、可能性としてはこの後に、画像に関して疾患の診断を行なう。この診断は極めて専門化された業務であって、高度に熟練した医用画像の専門家によってのみ行なわれ得る。これらの専門家でも、疾患の重症度についての主観的な判定を下し得るに留まる。このため、診断は一貫性を欠き標準化されていないものとなりがちである。診断は、科学と言うよりも芸術の領分に入りがちである。
【０００６】
上に述べた理由及び本明細書を精読して理解すると当業者には明らかになるような以下に述べるその他の理由で、医用解剖学的画像から、より一貫性があり、統一された形式を有し、信頼性の高い医学的状態及び疾患の診断を提供することが当技術分野で必要とされている。
【課題を解決するための手段】
【０００７】
ここでは以上に述べた欠点、短所及び問題を取り扱い、これらについては以下の明細書を精読して検討することにより理解されよう。
【０００８】
一観点では、医療診断画像の規範カテゴリー型インデクスを作成する方法が、少なくとも一つの解剖学的部位の画像データにアクセスするステップであって、この解剖学的画像データは撮像の時刻での解剖学的部位における少なくとも１種のトレーサに関する機能的情報の指示と一致している、アクセスするステップと、人間の規準に基づいて解剖学的画像データ及び規範標準化解剖学的画像データから偏差データを決定するステップと、少なくとも一つの解剖学的部位の各々について偏差データを提示するステップと、少なくとも一つの解剖学的部位の各々について或る重症度にカテゴリー分けされている期待画像偏差を提示するステップと、重症度インデクスの選択の指示を受け取るステップと、ルール・ベース型工程に関して複数の重症度インデクスから結合重症度スコアを生成するステップと、を含んでいる。
【０００９】
もう一つの観点では、医療診断画像の規範カテゴリー型インデクスについて人間を訓練する方法が、少なくとも一つの解剖学的部位の画像データにアクセスするステップであって、この解剖学的画像データは撮像の時刻での解剖学的部位における少なくとも１種のトレーサに関する機能的情報の指示と一致している、アクセスするステップと、解剖学的画像データ及び規範標準化解剖学的画像データから偏差データを決定するステップと、少なくとも一つの解剖学的部位の各々について偏差データを提示するステップと、少なくとも一つの解剖学的部位の各々について或る重症度にカテゴリー分けされている専門家判定による画像偏差を提示するステップと、表示画像と専門家判定による画像偏差との視覚的類似性に基づいて重症度インデクスの選択の指示を選択することについて人間を誘導するステップと、を含んでいる。
【００１０】
さらにもう一つの観点では、疾患状態の変化を識別する方法が、解剖学的特徴の少なくとも二つの縦断的画像データにアクセスするステップであって、この縦断的解剖学的画像データは撮像の時刻での解剖学的特徴における少なくとも１種のトレーサに関する機能的情報の指示と一致している、アクセスするステップと、人間の規準に基づいて縦断的解剖学的画像データの各々及び規範標準化解剖学的画像データから偏差データを提示するステップと、解剖学的特徴について偏差データを提示するステップと、解剖学的特徴の各々について或る重症度にカテゴリー分けされている期待画像偏差を提示するステップと、各々の縦断的データ集合について重症度インデクスの選択の指示を受け取るステップと、ルール・ベース型工程に関してこれら複数の重症度インデクスから結合重症度変化スコアを生成するステップと、を含んでいる。
【００１１】
さらに他の観点では、疾患状態の変化を識別する方法が、解剖学的特徴の縦断的画像データにアクセスするステップと、解剖学的縦断的画像データを、撮像の時刻での解剖学的特徴における少なくとも１種のトレーサに関して規範標準化解剖学的画像データと比較するステップと、解剖学的特徴の各々について偏差データを提示するステップと、解剖学的特徴の各々について或る重症度にカテゴリー分けされている期待画像偏差を提示するステップと、解剖学的特徴の縦断的画像データの各々について重症度インデクスの選択の指示を受け取るステップであって、この解剖学的縦断的画像データは撮像の時刻での解剖学的特徴における少なくとも１種のトレーサに関する機能的情報の指示と一致している、受け取るステップと、ルール・ベース型工程に関してこれら複数の重症度インデクスから結合重症度変化スコアを生成するステップと、結合重症度変化スコアを提示するステップと、を含んでいる。
【００１２】
さらにもう一つの観点では、診断医用画像の例示的な知識ベースを生成する方法が、少なくとも一つの解剖学的特徴の画像偏差データにアクセスするステップと、カテゴリー型重症度を画像偏差データの各々に割り当てるステップと、画像偏差データ及び画像偏差データの各々に対するカテゴリー型重症度のデータベースを生成するステップと、を含んでいる。
【００１３】
様々な範囲のシステム、クライアント、サーバ、方法及びコンピュータ読み取り可能な媒体について本書で記載する。本節の概要に記載した観点及び利点に加えて、さらに他の観点及び利点は、図面を参照して以下の詳細な説明を精読することにより明らかとなろう。
【発明を実施するための最良の形態】
【００１４】
以下の詳細な説明では、本書の一部を成し、実施可能な特定の実施形態を例示のために示す添付図面を参照する。これらの実施形態は、当業者がこれらの実施形態を実施することを可能にするのに十分な詳細にわたって記載されており、各実施形態の範囲から逸脱せずに他の実施形態を用いてもよいし、また論理的変形、機械的変形、電気的変形及び他の変形を施してもよいことを理解されたい。従って、以下の詳細な説明は限定の意味で解釈されるべきでない。
【００１５】
以下の詳細な説明は五つの節に分かれている。第一節では、システム・レベルの全体像について説明する。第二節では、方法の実施形態について説明する。第三節では、実施形態を実施し得る場合に共に用いられるハードウェア及び動作環境について説明する。第四節では、実施形態の装置について説明する。最後に、第五節では、詳細な説明の結論を掲げる。
〔システム・レベルの全体像〕
図１は、正常患者群からの統計的偏差を決定するシステムの全体像のブロック図である。システム１００は、医用解剖学的画像から、より一貫性があり、統一された形式を有し、信頼性の高い医学的状態及び疾患の診断を提供する当技術分野での必要性を解決する。
【００１６】
システム１００は正常画像データベース１０２を含んでいる。正常画像データベース１０２は無疾患の解剖学的構造の画像を含んでいる。正常画像データベース１０２は、有疾患の解剖学的構造の画像を識別する支援をするための比較用の基準線を与える。比較の基準線は、医用解剖学的画像から、より一貫性があり、統一された形式を有し、信頼性の高い医学的状態及び疾患の診断を提供する。
【００１７】
幾つかの実施形態では、正常画像データベース１０２は、正常な解剖学的画像を標準化して解剖学的特徴を抽出する構成要素１０４と、抽出された解剖学的特徴画像を平均するもう一つの構成要素１０６とによって生成される。平均された解剖学的特徴画像は、正常な解剖学的特徴と看做されるのに十分なだけ典型的な無疾患の解剖学的特徴の範囲内に収まる。後に図１１及び図１２で正常画像データベース１０２を生成する実例を示す。
【００１８】
システム１００はまた、一患者の解剖学的画像を標準化して標準化された患者画像の解剖学的特徴を抽出する構成要素１０８を含んでいる。抽出された解剖学的特徴の画像（１又は複数）及び正常画像データベース１０２内の画像は、比較を可能にする形式で符号化される。
【００１９】
システム１００はまた、抽出された解剖学的特徴の画像（１又は複数）と正常画像データベース１０２内の画像との間の比較を行なう構成要素１１０を含んでいる。幾つかの実施形態では、ピクセル毎の比較を行なう。幾つかの実施形態では、比較は静的比較作業フロー１１２を生ずる。静的比較作業フローの一実施形態は図３に示される。幾つかの実施形態では、比較は、特定の解剖学的特徴に特異的なＺスコアのデータベース１１４を生ずる。幾つかの実施形態では、比較は、縦断的比較作業フロー１１６を生ずる。縦断方向は時間方向としても知られる。縦断的比較は、一定の時間区間にわたって画像を比較する。後の図１５の装置１５００が関連する一実施形態を記述している。
【００２０】
幾つかの実施形態は、図１４のコンピュータ１４０２のようなコンピュータでの多重処理多重スレッド型動作環境で動作する。システム１００は如何なる特定の正常画像データベース１０２、正常な解剖学的画像を標準化して解剖学的特徴を抽出する構成要素１０４、抽出された解剖学的特徴画像を平均する構成要素１０６、一患者の解剖学的画像を標準化して標準化された患者画像の解剖学的特徴を抽出する構成要素１０８、抽出された解剖学的特徴の画像（１又は複数）と正常画像データベース内の画像との間の比較を行なう構成要素１１０、静的比較作業フロー１１２、特定の解剖学的特徴に特異的なＺスコアのデータベース１１４、及び縦断的比較作業フロー１１６にも限定されないが、分かり易くするために、単純化された正常画像データベース１０２、正常な解剖学的画像を標準化して解剖学的特徴を抽出する構成要素１０４、抽出された解剖学的特徴画像を平均する構成要素１０６、一患者の解剖学的画像を標準化して標準化された患者画像の解剖学的特徴を抽出する構成要素１０８、抽出された解剖学的特徴の画像（１又は複数）と正常画像データベース内の画像との間の比較を行なう構成要素１１０、静的比較作業フロー１１２、特定の解剖学的特徴に特異的なＺスコアのデータベース１１４、及び縦断的比較作業フロー１１６について説明する。
〔方法の実施形態〕
前節では、一実施形態の動作のシステム・レベルの全体像について説明した。本節では、一連の流れ図を参照しながらかかる実施形態の特定の方法について説明する。流れ図を参照しながらこれらの方法を記述することにより、当業者は、コンピュータ読み取り可能な媒体からの命令を実行する適当なコンピュータでこれらの方法を実行するためのかかる命令を含めて、かかるプログラム、ファームウェア又はハードウェアを開発することが可能になる。同様に、サーバ側のコンピュータ・プログラム、ファームウェア、又はハードウェアによって実行されるこれらの方法もまた、コンピュータで実行可能な命令で構成される。方法２００〜１３００は、図１４のコンピュータ１４０２のようなコンピュータで走行するプログラムによって実行されるか、又はかかるコンピュータの一部であるファームウェア若しくはハードウェアによって実行される。
【００２１】
図２は、正常患者群からの統計的偏差を決定する方法２００の流れ図である。方法２００は、正常な解剖学的画像を標準化して解剖学的特徴を抽出するステップ２０２を含んでいる。幾つかの実施形態では、標準化するステップは、Talairach領域又はモントリオール神経科学病院方式（ＭＮＩ）領域のような定義済み図譜／座標系に対して正常解剖学的画像を写像するステップを含んでいる。方法２００はまた、抽出された解剖学的特徴画像を平均して正常な無疾患の解剖学的特徴のデータベースを生ずるステップ２０４を含んでいる。
【００２２】
方法２００は、一患者の解剖学的画像を標準化して、標準化された患者画像から解剖学的特徴を抽出するステップ２０６を含んでいる。方法２００はまた、抽出された患者解剖学的特徴の画像（１又は複数）と正常画像データベース内の画像とを比較するステップ２０８を含んでいる。
【００２３】
方法２００はまた、静的比較作業フローを生成するステップ２１０、特定の解剖学的特徴に特異的なＺスコアのデータベース１１４を生成するステップ２１２、及び縦断的比較作業フローを生成するステップ２１４を含んでいる。縦断方向は時間方向としても知られる。縦断的比較は、一定の時間区間にわたって画像を比較する。
【００２４】
方法２００の幾つかの実施形態では、特定の解剖学的特徴に特異的なＺスコアのデータベース１１４を生成するステップ２１２の後に、方法２００はさらに、解剖学的構造に特異的なＺインデクスのデータベースにおいて特定のトレーサに関連する脳のような１又は複数の特定の解剖学的特徴の１又は複数の画像にアクセスするステップ、検索された脳画像データを同じトレーサに関連する規範標準化脳画像データ１０２と比較して、１又は複数の重症度スコアを生ずるステップ、そして重症度スコアに関連してＺスコアデータベース１１４を更新するステップ、また選択随意で重症度Ｚスコアを編集し、高精度化し、且つ／又は更新するステップ、並びに例示的な画像及びＺスコアデータベース１１４からの関連する重症度スコアを提示するステップを含んでいる。
【００２５】
図３は、読影者を重症度インデクスに誘導する静的比較作業フローの図である。静的比較作業フロー３００は、解剖学的特徴「Ａ」３０２、解剖学的特徴「Ｂ」３０４、解剖学的特徴「Ｃ」３０６、及び「第ｎ」解剖学的特徴３０８のような一定数の解剖学的特徴について動作可能である。解剖学的特徴の実例としては、脳又は心臓の解剖学的特徴がある。
【００２６】
各々の解剖学的特徴について、疾患範囲又は状態についてばらつきを有する一定数の画像が与えられる。例えば、解剖学的特徴「Ａ」３０２では、疾患範囲又は状態についてばらつきを有する一定数の画像３１０が与えられ、解剖学的特徴「Ｂ」３０４では、疾患範囲又は状態についてばらつきを有する一定数の画像３１２が与えられ、解剖学的特徴「Ｃ」３０６では、疾患範囲又は状態についてばらつきを有する一定数の画像３１４が与えられ、解剖学的特徴「Ｎ」３０８では、疾患範囲又は状態についてばらつきを有する一定数の画像３１６が与えられる。
【００２７】
各々の解剖学的特徴について、解剖学的特徴の画像は、疾患又は状態の重症度に従って順序付け３１８される。例えば、解剖学的特徴「Ａ」３０２では、画像３１０は、疾患又は状態の最小範囲若しくは最小量から疾患又は状態の最大量若しくは最大範囲まで昇順で順序付けされる。
【００２８】
この後に、画像３２０を評価して、順序付けされた画像の集合に対して比較しながら画像３２０における疾患範囲又は状態を決定する。例えば、解剖学的特徴「Ａ」３０２の順序付けされた画像３１０の集合と比較しながら画像３２０を評価して画像３２０の疾患範囲又は状態を決定する。幾つかの実施形態では、患者からの多数の解剖学的構造３０２、３０４、３０６及び３０８についての多数の画像３２０が評価される。
【００２９】
この比較から、患者画像３２０の疾患範囲を表現する又は象徴する重症度インデクス３２２が生成される。幾つかの実施形態では、多数の画像３２０での疾患範囲を表現する又は象徴する多数の重症度インデクス３２２が生成される。さらに他の幾つかの実施形態では、統計的解析３２６を用いて集計患者重症度スコア３２４が生成される。
【００３０】
静的比較作業フロー３００は、一定数の解剖学的特徴及び一定数の実例データについて動作可能である。但し、この解剖学的特徴の数及び実例データの数は、解剖学的特徴の数及び実例データの数の一実施形態に過ぎない。他の実施形態では、他の数の解剖学的特徴及び他の数の実例データが具現化される。
【００３１】
図４は、一実施形態による構造化された固有の医療診断指令補助を生成する方法４００の流れ図である。方法４００は、医用解剖学的画像から、より一貫性があり、統一された形式を有し、信頼性の高い医学的状態及び疾患の診断を提供する当技術分野での必要性を解決する。
【００３２】
方法４００は、解剖学的特徴の画像の重症度インデクスの指示を受け取るステップ４０２を含んでいる。重症度インデクスは、無疾患の解剖学的構造に比較した解剖学的構造内の疾患範囲を示す。解剖学的構造の実例としては、脳及び心臓がある。期待される画像又は専門家の誘導による画像を利用者が指定すると、これをトリガとして各々の解剖学的位置及びトレーサについての重症度インデクスを設定する。
【００３３】
画像の各々は、解剖学的特徴が少なくとも１種のトレーサを含んでいる間に形成されている。画像は、磁気共鳴撮像、陽電子放出断層写真法、計算機式断層写真法、単光子放出計算機式断層写真法、超音波撮像及び光学的撮像のような多数の従来の撮像手法の任意の一つを用いて取得されている。
【００３４】
重症度インデクスを受け取るステップ４０２の幾つかの実施形態は、グラフィック・ユーザ・インタフェイスから又はグラフィック・ユーザ・インタフェイスを介して選択される重症度インデクスを受け取るステップを含んでおり、選択される重症度インデクスは人間によってグラフィック・ユーザ・インタフェイスに手動で入力される。これらの実施形態では、人間が重症度インデクスを展開して、コンピュータのキーボードに重症度インデクスを入力することによりこの重症度インデクスを伝達し、ここから重症度インデクスが受け取られる。幾つかの実施形態では、一定数の画像の各々についての重症度インデクスを受け取る４０２。
【００３５】
方法４００はまた、動作４０２において受け取られた複数の重症度インデクスから結合重症度スコアを生成するステップ４０４を含んでいる。結合重症度スコアは、ルール・ベース型工程に関して生成される。幾つかの実施形態では、結合重症度スコアを生成するステップは、ルール・ベース型工程に関して複数の重症度インデクスから生成されるか又は合計される。幾つかの実施形態では、疾患状態について合計重症度スコアを形成するためにルール・ベース式方法を用いて、各々の解剖学的構造及びトレーサによる重症度インデクスを集計する。
【００３６】
図５は、図４の方法４００の受け取る動作４０２の前に実行される動作の一実施形態による方法５００の流れ図である。方法５００は、医用解剖学的画像から、より一貫性があり、統一された形式を有し、信頼性の高い医学的状態及び疾患の診断を提供する当技術分野での必要性を解決する。
【００３７】
方法５００は、脳又は他の解剖学的特徴に特異的な画像データにアクセスするステップ５０２を含んでいる。脳の画像データは、撮像の時刻での脳における少なくとも１種のトレーサに関する機能的情報の指示と一致している。幾つかの実施形態では、Ｆ−１８−デオキシグルコース又はフルオロデオキシグルコース（ＦＤＧ）、Ceretec（商標）、Trodat（商標）等のような放射性トレーサ又は放射性医薬品を用いて特定の解剖学的情報及び機能的情報について患者を撮像する。各々の放射性トレーサは、機能及び代謝に関係する別個の特性情報を提供する。アクセスされる患者画像は、関係のあるトレーサ及び年齢群に対応して標準化されている。
【００３８】
方法５００はまた、人間規準に基づいて脳画像データ及び規範標準化脳画像データから偏差データを決定するステップ５０４を含んでいる。人間規準の実例は、患者の年齢及び／又は性別である。幾つかの実施形態では、偏差データを決定するステップは、上の図３に示すように、脳画像データを、撮像の時刻での脳における少なくとも１種のトレーサに関して規範標準化脳画像データと比較するステップを含んでいる。幾つかの実施形態では、画像は、標準化された正常な患者の参照画像とピクセル毎に比較される。
【００３９】
この後に、方法５００は、脳についての重症度偏差データを利用者に対して表示するステップ５０６を含んでいる。幾つかの実施形態では、差画像は、各々の解剖学的位置及びトレーサについての正常値からの偏差の色表現又は濃淡表現の形態にあってよい。
【００４０】
他の実施形態では、偏差データは、紙への印刷のような他の媒体で提示される。
【００４１】
続いて、期待画像偏差が、脳に関連する或る重症度にカテゴリー分けされて、利用者に対して提示される５０８。重症度インデクスは、脳の疾患範囲、状態又は異常の定量化を提供する。
【００４２】
図６は、一実施形態による構造化された固有の医療診断指令補助を生成する方法６００の流れ図である。方法６００は、医用解剖学的画像から、より一貫性があり、統一された形式を有し、信頼性の高い医学的状態及び疾患の診断を提供する当技術分野での必要性を解決する。
【００４３】
方法６００では、アクセスする動作５０２、決定する動作５０４、提示する動作５０６及び５０８、並びに受け取る動作４０２は、生成する動作４０４を実行する前に複数回にわたり実行される。具体的には、アクセスする動作５０２、決定する動作５０４、提示する動作５０６及び５０８、並びに受け取る動作４０２は、処理に利用可能な解剖学的構造データ６０２がなくなるまで実行される。例えば、図３において、各々の解剖学的特徴「Ａ」３０２、解剖学的特徴「Ｂ」３０４、解剖学的特徴「Ｃ」３０６、及び「第ｎ」の解剖学的特徴３０８についてのインデクスが動作５０２〜５０８において生成される。
【００４４】
動作５０２〜５０８の全回の繰り返しが完了したら、結合重症度スコアを生成する４０４。重症度スコアをさらに多量のデータから生成するほど数学的にさらに信頼性の高い結合重症度スコアを与えると考えられる場合がある。
【００４５】
上の方法６００において説明した実施形態では、各々の解剖学的特徴についてのインデクス及びスコアを逐次的に生成している。しかしながら、方法６００の他の実施形態は、各々の解剖学的特徴についてのインデクス及びスコアを並列に生成する。
【００４６】
図７は、一実施形態による医療診断画像の規範カテゴリー型インデクスについて人間を訓練する方法７００の流れ図である。方法７００は、医用解剖学的画像から、より一貫性があり、統一された形式を有し、信頼性の高い医学的状態及び疾患の診断を提供する当技術分野での必要性を解決する。
【００４７】
方法７００は、或る重症度のカテゴリについての脳の専門家判定による期待画像偏差を利用者に対して提示するステップ７０２を含んでいる。重症度インデクスは、脳の疾患範囲、状態又は異常の定量化を提供する。
【００４８】
この後に、方法７００は、表示画像及び専門家判定による画像偏差の視覚的類似性に基づいて重症度インデクスの選択の指示を選択することについて人間を誘導するステップ７０４を含んでいる。画像は、患者についての重症度評価を下すように利用者を誘導する。
【００４９】
図８は、図７の方法７００の前に実行される動作の一実施形態による方法８００の流れ図である。方法８００は、医用解剖学的画像から、より一貫性があり、統一された形式を有し、信頼性の高い医学的状態及び疾患の診断を提供する当技術分野での必要性を解決する。
【００５０】
方法８００は、脳又は他の解剖学的特徴に特異的な画像データにアクセスするステップ８０２を含んでいる。脳の画像データは、撮像の時刻での脳における少なくとも１種のトレーサに関する機能的情報の指示と一致している。
【００５１】
方法８００はまた、人間規準に基づいて脳画像データ及び規範標準化脳画像データから偏差データを決定するステップ８０４を含んでいる。人間規準の実例は、患者の年齢及び／又は性別である。幾つかの実施形態では、偏差データを決定するステップは、上の図３に示すように、脳画像データを、撮像の時刻での脳における少なくとも１種のトレーサに関して規範標準化脳画像データと比較するステップを含んでいる。
【００５２】
この後に、方法８００は、脳についての重症度偏差データを利用者に対して表示するステップ８０６を含んでいる。他の実施形態では、偏差データは、紙への印刷のような他の媒体において提示される。
【００５３】
図９は、一実施形態による構造化された固有の医療診断指令補助を生成する方法９００の流れ図である。方法９００は、医用解剖学的画像から、より一貫性があり、統一された形式を有し、信頼性の高い医学的状態及び疾患の診断を提供する当技術分野での必要性を解決する。
【００５４】
方法９００では、アクセスする動作８０２、決定する動作８０４、提示する動作８０６及び７０２、並びに誘導する動作７０４は、結合重症度スコアを生成する前に複数回にわたり実行される。
【００５５】
図１０は、一実施形態に従って疾患状態の変化を識別する方法１０００の流れ図である。方法１０００は、医用解剖学的画像から、より一貫性があり、統一された形式を有し、信頼性の高い医学的状態及び疾患の診断を提供する当技術分野での必要性を解決する。
【００５６】
方法１０００の幾つかの実施形態は、少なくとも二つの解剖学的特徴に特異的な縦断的画像データにアクセスするステップ１００２を含んでいる。縦断的解剖学的画像データは、撮像の時刻での解剖学的特徴における少なくとも１種のトレーサに関する機能的情報を示す。解剖学的特徴の実例としては、脳又は心臓がある。縦断方向は時間方向としても知られる。縦断的比較は、一定の時間区間にわたって画像を比較する。
【００５７】
画像は、磁気共鳴撮像、陽電子放出断層写真法、計算機式断層写真法、単光子放出計算機式断層写真法、超音波撮像及び光学的撮像のような多数の従来の撮像手法の任意の一つを用いて取得されている。患者は、二つの異なる時間的瞬間にトレーサを用いて特定の解剖学的情報及び機能的情報について撮像される。各々のトレーサは、機能及び代謝に関係する別個の特性情報を提供する。各々の時間的瞬間にアクセスされる患者画像は、関係のあるトレーサ及び年齢群に対応して標準化されている。
【００５８】
この後に、方法１０００の幾つかの実施形態は、人間規準に基づいて縦断的解剖学的画像データの各々及び規範標準化解剖学的画像データから偏差データを決定するステップ１００４を含んでいる。人間規準の実例は、患者の年齢及び／又は性別である。偏差データを決定するステップ１００４の幾つかの実施形態は、解剖学的縦断的画像データを、撮像の時刻での解剖学的特徴におけるトレーサに関して規範標準化解剖学的画像データと比較するステップを含んでいる。幾つかの実施形態では、縦断的解析における各々の時間的瞬間の画像を、標準化された正常な患者の参照画像とピクセル毎に比較する。
【００５９】
続いて、方法１０００は、解剖学的特徴からの重症度偏差データを利用者に対して提示するステップ１００６を含んでいる。幾つかの実施形態では、偏差データは、縦断的解剖学的画像と規範標準化解剖学的画像との間の差を示す差画像の形態にある。さらに、差画像は、各々の解剖学的位置及びトレーサについて、縦断的解析における時間的瞬間毎に、正常値からの偏差の色表現又は濃淡表現の形態にあってもよい。
【００６０】
この後に、方法１０００は、解剖学的特徴に関連した或る重症度にカテゴリー分けされている期待画像偏差を利用者に対して提示するステップ１００８を含んでいる。幾つかの実施形態では、利用者が期待画像と合致すると、これをトリガとして、縦断的解析の全ての瞬間で各々の解剖学的位置及びトレーサについて重症度インデクスを設定する。
【００６１】
続いて、方法１０００は、各々の縦断的データ集合について利用者から重症度インデクスの選択の指示を受け取るステップ１０１０を含んでいる。重症度インデクスの指示を受け取るステップ１０１０の幾つかの実施形態は、グラフィック・ユーザ・インタフェイスから選択された重症度インデクスを受け取るステップを含んでおり、選択された重症度インデクスは、人間によってグラフィック・ユーザ・インタフェイスに手動で入力される。幾つかの実施形態では、期待画像を、関連する重症度レベルと共に利用者に対して表示する。画像は、利用者が縦断的解析の時間的瞬間の各々において現患者について重症度評価を下すように誘導する。
【００６２】
続いて、方法１０００は、これら複数の重症度インデクスから結合重症度変化スコアを生成するステップ１０１２を含んでいる。幾つかの実施形態では、結合重症度変化スコアは、ルール・ベース型工程に関して生成され、次いで、結合重症度変化スコアが利用者に対して提示される。結合重症度スコアを生成する幾つかの実施形態は、ルール・ベース型工程に関してこれら複数の重症度インデクスを合計するステップを含んでいる。幾つかの実施形態では、各々の解剖学的構造及びトレーサによる重症度インデクスは個々に又は比較されながら（縦断的検討の瞬間の差）ルール・ベース型方法を用いて集計されて、縦断的検討の全ての瞬間での疾患状態についての合計の変化後の重症度スコアを形成する。解剖学的位置変化をより多く指示し得る方法、及び全疾患状態重症度スコア変化を与える方法のいずれの方法の変化判定でも具現化することができる。
【００６３】
方法１０００の幾つかの実施形態では、縦断的画像データにアクセスするステップ１００２、偏差を決定するステップ１００４、提示するステップ１００６及び１００８、並びに重症度インデクスを受け取るステップ１０１０は、結合重症度変化スコアを生成するステップ１０１２及び表示するステップ１０１４の前に一定の回数にわたり実行される。幾つかの実施形態では、一定数の重症度インデクスが、特定の解剖学的構造について経時的に表示され、これにより、疾患の治療の進行又は疾患の治療の進行の欠如を経時的に示す。
【００６４】
図１１は、一実施形態による診断医用画像の例示的知識ベース又は正常知識ベースを作成する方法１１００の流れ図である。方法１１００は、医用解剖学的画像から、より一貫性があり、統一された形式を有し、信頼性の高い医学的状態及び疾患の診断を提供する当技術分野での必要性を解決する。
【００６５】
方法１１００は、特定のトレーサに関連する１又は複数の特定の解剖学的特徴の１又は複数の画像にアクセスするステップ１１０２を含んでいる。偏差データは、正常な解剖学的状態又は無疾患の解剖学的構造を表わすものと考えられる画像からの偏差又は差を表わすデータである。幾つかの実施形態では、偏差画像データは、後述の図１２の方法１２００に記載するもののように、正常な被検体データベースからの画像と、疾患の全ての重症度に関係するデータを含む疑わしい疾患画像データベースからの画像とを比較することにより、方法１１００の実行の前に導かれる。
【００６６】
幾つかの実施形態では、画像偏差データを導き出した元の画像は、患者にトレーサを用いずに作成され又は生成されている。他の実施形態では、画像偏差データを導き出した元の画像は、患者にトレーサを用いて作成され又は生成されている。
【００６７】
方法１１００はまた、疾患の全ての重症度に関する機能的情報の指示と一致するように偏差データの画像の各々にカテゴリー型重症度を割り当てるステップ１１０４を含んでいる。カテゴリー型重症度は、何らかの範囲内にある疾患又は医学的状態の重症度の範囲を記述する。幾つかの実施形態では、カテゴリー型重症度は、例示的な画像からの画像の偏差の測度を記述する。疾患又は状態の程度の実例は、図３に画像の昇順３１８に関して記載されており、同図では昇順３１８に並んだ各々の画像が疾患又は状態の一つのカテゴリー型重症度を表わしている。
【００６８】
この後に、方法１１００は、画像偏差データ及び画像偏差データの各々に対するカテゴリー型重症度のデータベース又は知識ベースを生成するステップ１１０６を含んでいる。一例では、図１の正常画像データベース１０２が生成され、又は画像偏差データで更新されて画像偏差データのカテゴリー型重症度に関連付けされる。
【００６９】
方法１１００の幾つかの実施形態はまた、例示的な重症度偏差画像を高精度化する又は更新するステップを含んでいる。さらに明確に述べると、例示的な重症度偏差データベースは、新たに割り当てられた重症度偏差画像を既存の重症度画像（１又は複数）と集計することにより高精度化され、又は重症度偏差画像の新たなカテゴリを導入する若しくは既存のカテゴリを除去することにより更新される。
【００７０】
図１２は、一実施形態による偏差データを生成する方法１２００の流れ図である。方法１２００は、方法１１００において要求される偏差データを生成するために上の方法１１００の前に実行され得る。方法１２００は、医用解剖学的画像から、より一貫性があり、統一された形式を有し、信頼性の高い医学的状態及び疾患の診断を提供する当技術分野での必要性を解決する。
【００７１】
方法１２００は、特定のトレーサに関連した脳のような１又は複数の特定の解剖学的特徴の１又は複数の画像にアクセスするステップ１１０２を含んでいる。
【００７２】
方法１２００はまた、上の図３に示すように、脳画像データを同じトレーサに関連する規範標準化脳画像データと比較するステップ１２０２を含んでおり、脳の疑わしい疾患域を表わす画像とデータベース内の画像との間の偏差を得る。幾つかの実施形態では、比較するステップ１２０２はトレーサに関して実行され、又は他の実施形態ではトレーサに関連させずに実行される。
【００７３】
方法１２００はまた、この比較から偏差画像データを生成するステップ１２０４を含んでいる。
【００７４】
図１３は、一実施形態による参照診断医用画像を生成する方法１３００の流れ図である。方法１３００は、医用解剖学的画像から、より一貫性があり、統一された形式を有し、信頼性の高い医学的状態及び疾患の診断を提供する当技術分野での必要性を解決する。
【００７５】
方法１３００は、トレーサに関係する正常な病状発現前の解剖学的特徴の複数の画像を含んでいるデータベースにアクセスするステップ１３０２を含んでいる。幾つかの実施形態では、動作１３０２は、トレーサに関係する機能的情報の利用を介して正常な被検体を用いて規範データベースを作成することを含んでいる。
【００７６】
この後に、方法１３００は、解剖学的特徴における疑わしい疾患域を表わす画像にアクセスするステップ５０２と、解剖学的特徴における疑わしい疾患域を表わす画像をデータベース内の画像と比較するステップ１２０２を含んでおり、このようにして解剖学的特徴における疑わしい疾患域を表わす画像とデータベース内の画像との間の偏差を得る。幾つかの実施形態では、画像にアクセスするステップは、トレーサの利用を介して疾患の多様な重症度に対応している可能性のある機能的情報の指示と一致した疑わしい画像のデータベースにアクセスすることを含んでいる。
【００７７】
次いで、各々の解剖学的特徴について偏差を表わす複数の画像を形成し１２０４、カテゴリー型重症度を偏差を表わすこれら複数の画像の各々に割り当てて１１０４、偏差を表わすこれら複数の画像及び偏差を表わすこれら複数の画像の各々のカテゴリー型重症度のデータベースを生成する１１０６。
【００７８】
方法１３００の幾つかの実施形態では、例示的な重症度偏差データベースは、新たに割り当てられた重症度偏差画像を既存の重症度画像（１又は複数）と集計することにより高精度化され、又は重症度偏差画像の新たなカテゴリを導入する若しくは既存のカテゴリを除去することにより更新される。
【００７９】
幾つかの実施形態では、方法２００〜１３００は、図１４のプロセッサ１４０４のようなプロセッサによって実行されるとそれぞれの方法をプロセッサに実行させる一連の命令を表わす搬送波に実現されたコンピュータ・データ信号として具現化される。他の実施形態では、方法２００〜１３００は、図１４のプロセッサ１４０４のようなプロセッサにそれぞれの方法を実行するように指令することが可能な実行可能な命令を有するコンピュータ・アクセス可能な媒体として具現化される。様々な実施形態において、媒体は磁気媒体、電子媒体又は光学媒体である。
【００８０】
さらに明確に述べると、コンピュータ読み取り可能なプログラムの実施形態では、Java、Smalltalk又はＣ＋＋のようなオブジェクト指向言語を用いてプログラムをオブジェクト指向で構造化することができ、またＣＯＢＯＬ又はＣのような手続き型言語を用いてプログラムを手続き指向で構造化することもできる。ソフトウェア・コンポーネントは、リモート・プロシージャ・コール（ＲＰＣ）、コモン・オブジェクト・リクエスト・ブローカ・アーキテクチャ（ＣＯＲＢＡ）、コンポーネント・オブジェクト・モデル（ＣＯＭ）、分散型コンポーネント・オブジェクト・モデル（ＤＣＯＭ）、分散型システム・オブジェクト・モデル（ＤＳＯＭ）及びリモート・メソッド・インヴォケーション（ＲＭＩ）等のアプリケーション・プログラム・インタフェイス（ＡＰＩ）又はプロセス間通信の手法のような当業者に周知の多くの手段の任意のもので通信する。各コンポーネントは、図１４のコンピュータ１４０２のように１台という少数のコンピュータで実行されるか、或いはコンポーネントが存在するのと少なくとも同数のコンピュータで実行される。
〔ハードウェア及び動作環境〕
図１４は、様々な実施形態を実施することのできるハードウェア及び動作環境１４００のブロック図である。図１４の説明は、幾つかの実施形態を具現化し得る場合に共に用いられるコンピュータ・ハードウェア及び適当な計算環境の全体像を扱う。実施形態を、コンピュータで実行可能な命令を実行するコンピュータに関して説明する。しかしながら、幾つかの実施形態は、コンピュータで実行可能な命令が読み出し専用メモリで具現化されているようなコンピュータ・ハードウェアで専ら具現化することもできる。また、幾つかの実施形態は、タスクを実行する遠隔装置が通信ネットワークを介して結合されているようなクライアント／サーバ型コンピュータ環境で具現化することができる。プログラム・モジュールは、分散型計算環境ではローカルのメモリ記憶装置及び遠隔のメモリ記憶装置の両方に位置していてよい。
【００８１】
コンピュータ１４０２は、Intel社、Motorola社、Cyrix社その他から市販されているプロセッサ１４０４を含んでいる。コンピュータ１４０２はまた、ランダム・アクセス・メモリ（ＲＡＭ）１４０６、読み出し専用メモリ（ＲＯＭ）１４０８、１又は複数の大容量記憶装置１４１０、及び様々なシステム構成要素を処理ユニット１４０４に結合して動作させるシステム・バス１４１２を含んでいる。メモリ１４０６、１４０８、及び大容量記憶装置１４１０は、コンピュータによるアクセスが可能な媒体の形式である。大容量記憶装置１４１０はさらに明確に述べると、コンピュータによるアクセスが可能な不揮発性媒体の形式であり、１又は複数のハード・ディスク・ドライブ、フレキシブル・ディスク・ドライブ、光ディスク・ドライブ及びテープ・カートリッジ・ドライブを含み得る。プロセッサ１４０４は、コンピュータによるアクセスが可能な媒体に記憶されているコンピュータ・プログラムを実行する。
【００８２】
コンピュータ１４０２は、通信装置１４１６を介してインターネット１４１４に接続されて通信することができる。インターネット１４１４への接続性については、当技術分野では周知である。一実施形態では、通信装置１４１６は、当技術分野で「ダイヤル・アップ接続」として公知のものを介してインターネットに接続する通信ドライバに応答するモデムである。もう一つの実施形態では、通信装置１４１６は、構内網（ＬＡＮ）に接続されているEthernet（商標）又は類似のハードウェア・ネットワーク・カードであり、ＬＡＮ自体は当技術分野で「直接接続」（例えばＴ１回線等）として公知のものを介してインターネットに接続される。
【００８３】
利用者は、キーボード１４１８又はポインティング・デバイス１４２０のような入力装置を介してコンピュータ１４０２に命令及び情報を入力する。キーボード１４１８は、当技術分野で公知のようにコンピュータ１４０２へのテキスト情報の入力を可能にするが、実施形態は如何なる特定の形式のキーボードにも限定されていない。ポインティング・デバイス１４２０は、Microsoft Windows（商標）の各バージョンのようなオペレーティング・システムのグラフィック・ユーザ・インタフェイス（ＧＵＩ）によって提供される画面ポインタの制御を可能にする。実施形態は、如何なる特定のポインティング・デバイス１４２０にも限定されない。かかるポインティング・デバイスとしては、マウス、指触パッド、トラックボール、遠隔制御及びポイント・スティック等がある。他の入力装置（図示されていない）としては、マイクロフォン、ジョイスティック、ゲーム・パッド、衛星放送用パラボラ・アンテナ又はスキャナ等がある。
【００８４】
幾つかの実施形態では、コンピュータ１４０２は表示装置１４２２に結合されて動作する。表示装置１４２２はシステム・バス１４１２に接続されている。表示装置１４２２は、コンピュータの利用者による観察に供するためにコンピュータ、ビデオ及び他の情報を含めた情報の表示を可能にする。実施形態は如何なる特定の表示装置１４２２にも限定されない。かかる表示装置としては、陰極線管（ＣＲＴ）表示器（モニタ）、及び液晶表示器（ＬＣＤ）のようなフラット・パネル表示器等がある。モニタに加えて、コンピュータは典型的には、プリンタのような他の周辺入出力装置（図示されていない）を含んでいる。スピーカ１４２４及び１４２６は、信号の音響出力を提供する。スピーカ１４２４及び１４２６もシステム・バス１４１２に接続されている。
【００８５】
コンピュータ１４０２はまた、コンピュータによるアクセスが可能な媒体であるＲＡＭ１４０６、ＲＯＭ１４０８及び大容量記憶装置１４１０に記憶されてプロセッサ１４０４によって実行されるオペレーティング・システム（図示されていない）を含んでいる。オペレーティング・システムの例としては、Microsoft Windows（商標）、Apple MacOS（商標）、Linux（商標）、UNIX（商標）等がある。但し、実例は如何なる特定のオペレーティング・システムにも限定されず、またかかるオペレーティング・システムの構築及び利用は当技術分野で周知である。
【００８６】
コンピュータ１４０２の実施形態は、如何なる形式のコンピュータ１４０２にも限定されない。実施形態を変形させると、コンピュータ１４０２は、ＰＣ互換コンピュータ、MacOS（商標）互換コンピュータ、Linux（商標）互換コンピュータ、又はUNIX（商標）互換コンピュータを含む。かかるコンピュータの構築及び動作は当技術分野で周知である。
【００８７】
コンピュータ１４０２は、利用者が制御可能なポインタを含むグラフィック・ユーザ・インタフェイス（ＧＵＩ）を提供する少なくとも一つのオペレーティング・システムを用いて動作させることができる。コンピュータ１４０２は、少なくとも一つのオペレーティング・システムの内部で走行する少なくとも一つのウェブ・ブラウザ・アプリケーション・プログラムを有することができ、コンピュータ１４０２の利用者がイントラネット、エクストラネット、又はユニバーサル・リソース・ロケータ（ＵＲＬ）のアドレスによって指定されるようなインターネットのワールド・ワイド・ウェブ・ページにアクセスすることを可能にする。ブラウザ・アプリケーション・プログラムの実例としては、Netscape Navigator（商標）及びMicrosoft Internet Explorer（商標）等がある。
【００８８】
コンピュータ１４０２は、遠隔のコンピュータ１４２８のような１又は複数の遠隔のコンピュータに対する論理的な接続を用いたネットワーク化された環境で動作することができる。これらの論理的接続は、コンピュータ１４０２に結合されている通信装置又はコンピュータ１４０２の一部によって達成される。実施形態は、特定の形式の通信装置に限定されない。遠隔のコンピュータ１４２８は、もう１台のコンピュータ、サーバ、ルータ、ネットワークＰＣ、クライアント、ピア（peer）装置又は他の共通ネットワーク・ノードであってよい。図１４に示す論理的接続は、構内網（ＬＡＮ）１４３０及び広域網（ＷＡＮ）１４３２を含んでいる。かかる網構成環境は、事務所、企業内コンピュータ網、イントラネット、エクストラネット及びインターネットとして広く普及している。
【００８９】
ＬＡＮ型網構成環境で用いる場合には、コンピュータ１４０２及び遠隔のコンピュータ１４２８は、通信装置１４１６の一形式であるネットワーク・インタフェイス又はアダプタ１４３４を介してローカルのネットワーク１４３０に接続される。遠隔のコンピュータ１４２８もまた、ネットワーク装置１４３６を含んでいる。従来のＷＡＮ型網構成環境で用いる場合には、コンピュータ１４０２及び遠隔のコンピュータ１４２８は、モデム（図示されていない）を介してＷＡＮ１４３２と通信する。モデムは内部モデムであっても外部モデムであってもよく、システム・バス１４１２に接続される。ネットワーク化された環境では、コンピュータ１４０２に対して図示されているプログラム・モジュール又はその一部を遠隔のコンピュータ１４２８に記憶させることもできる。
【００９０】
コンピュータ１４０２はまた、電源１４３８を含んでいる。各々の電源はバッテリであってよい。
〔装置の実施形態〕
前節では、方法について説明した。本節では、かかる実施形態の特定の装置について説明する。
【００９１】
図１５は、一実施形態による参照診断医用画像を形成する装置１５００のブロック図である。装置１５００は、医用解剖学的画像から、より一貫性があり、統一された形式を有し、信頼性の高い医学的状態及び疾患の診断を提供する当技術分野での必要性を解決する。
【００９２】
装置１５００では、画像データに対して４種の異なる比較を実行することができる。すなわち、未処理画像の比較１５０２、標準偏差画像の比較１５０４、重症度画像の比較１５０６、及び重症度スコアの比較である。これらの比較は、段階１５０２、１５０２、１５０６又は１５０８のいずれで生じてもよい。比較１５０２〜１５０８の各々は、検査時刻Ｔ１１５１０及び検査時刻Ｔ２１５１２のような縦断的（時間的）領域にわたって実行される。
【００９３】
検査時刻Ｔ１１５１０及び検査時刻Ｔ２１５１２では、それぞれ複数の未処理の原画像１５１４及び１５１６と、原画像１５１８及び１５２０とがディジタル撮像装置によって形成される。
【００９４】
検査時刻Ｔ１１５１０及び検査時刻Ｔ２１５１２の後に、未処理の原画像及び１又は複数の標準化画像（図示されていない）から、次の３種のデータの任意の一つが生成される。すなわち、複数の標準化偏差画像１５２２及び１５２４、１５２６及び１５２８、重症度インデクス１５３０〜１５３６、又は重症度スコア１５３８及び１５４０である。偏差画像１５２２〜１５２８は、未処理の原画像１５１４〜１５２０と標準化画像との間の偏差を図形的に表わす。重症度インデクス１５３０〜１５３６は、未処理の原画像１５１４〜１５２０と標準化画像との間の臨床的に知覚される偏差を数値的に表わす。重症度スコア１５３８及び１５４０は、重症度インデクス１５３０〜１５３６から生成される。重症度スコア１５３８及び１５４０は、未処理画像１５１４〜１５２０の状態の複合的臨床指標を数値的に表わす。
〔結論〕
コンピュータ方式医療診断システムについて説明した。本書では特定の実施形態を図示して説明したが、当業者は、同じ目的を達成するために考案された任意の構成を図示の特定の実施形態に置換し得ることを認められよう。本出願は、あらゆる適応構成又は変形を包含するものとする。例えば、説明は手続きに関して行なったが、当業者には、手続き型設計環境、又は所要の関係を提供するその他任意の設計環境で具現化形態を形成し得ることが認められよう。
【００９５】
具体的には、当業者は、方法及び装置の名称が実施形態を限定するものではないことを容易に認められよう。さらに、実施形態の範囲から逸脱せずに、付加的な方法及び装置を各構成要素に追加したり、構成要素間で作用を再構成したり、将来の機能拡張や実施形態で用いられている物理的装置に対応する新たな構成要素を導入したりすることができる。当業者は、各実施形態が将来の通信装置、異なるファイル・システム及び新たなデータ型に応用可能であることを容易に認められよう。
【００９６】
本出願で用いられている術語は、全てのオブジェクト指向型データベース及び通信環境、並びに本書に記載しているものと同じ作用を果たす代替技術を包含するものとする。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００９７】
【図１】正常患者群からの統計的偏差を決定するシステムの全体像のブロック図である。
【図２】正常患者群からの統計的偏差を決定する方法の流れ図である。
【図３】読影者を重症度インデクスに誘導する静的比較作業フローの図である。
【図４】一実施形態による構造化された固有の医療診断指令補助を生成する方法の流れ図である。
【図５】図４の方法の前に実行される動作の一実施形態による方法の流れ図である。
【図６】一実施形態による構造化された固有の医療診断指令補助を生成する方法の流れ図である。
【図７】一実施形態による医療診断画像の規範カテゴリー型インデクスについて人間を訓練する方法の流れ図である。
【図８】図７の方法の前に実行される動作の一実施形態による方法の流れ図である。
【図９】一実施形態による構造化された固有の医療診断指令補助を生成する方法の流れ図である。
【図１０】一実施形態に従って疾患状態の変化を識別する方法の流れ図である。
【図１１】一実施形態による診断医用画像の例示的知識ベース又は正常知識ベースを作成する方法の流れ図である。
【図１２】一実施形態による偏差データを生成する方法の流れ図である。
【図１３】一実施形態による参照診断医用画像を生成する方法の流れ図である。
【図１４】様々な実施形態を実施することのできるハードウェア及び動作環境のブロック図である。
【図１５】一実施形態による参照診断医用画像を形成する装置のブロック図である。
【符号の説明】
【００９８】
１００  正常患者群からの統計的偏差を決定するシステム
２００  正常患者群からの統計的偏差を決定する方法
３００  静的比較作業フロー
３１０、３１２、３１４、３１６  ばらつきを有する一定数の画像
３１８  順序付け
３２０  評価される入力画像
４００、６００、９００  構造化された固有の医療診断指令補助を生成する方法
５００  図４の方法４００の受け取る動作４０２の前に実行される動作の方法
７００  医療診断画像の規範カテゴリー型インデクスについて人間を訓練する方法
８００  図７の方法７００の前に実行される動作の方法
１０００  疾患状態の変化を識別する方法
１１００  診断医用画像の例示的知識ベース又は正常知識ベースを作成する方法
１２００  偏差データを生成する方法
１３００  参照診断医用画像を生成する方法
１４００  ハードウェア及び動作環境
１４０２  コンピュータ
１４１２  システム・バス
１５００  参照診断医用画像を形成する装置
【図１】
0005142010.tif 000002
【図２】
0005142010.tif 000003
【図３】
0005142010.tif 000004
【図４】
0005142010.tif 000005
【図５】
0005142010.tif 000006
【図６】
0005142010.tif 000007
【図７】
0005142010.tif 000008
【図８】
0005142010.tif 000009
【図９】
0005142010.tif 000010
【図１０】
0005142010.tif 000011
【図１１】
0005142010.tif 000012
【図１２】
0005142010.tif 000013
【図１３】
0005142010.tif 000014
【図１４】
0005142010.tif 000015
【図１５】
0005142010.tif 000016